(57)【要約】【課題】ボード状断熱材を床スラブに密着させて取り付けることができ、ボード状断熱材の浮きやセルフレベリング材からの剥がれによりセルフレベリング材のクラックの発生や床の遮音性能の低下を抑制できる建築物の断熱構造及びその施工方法を提供する。【解決手段】建築物の断熱構造１は、コンクリート造りの床スラブ１０と、床スラブ１０に立設されるコンクリート造りの外壁部２０と、床スラブ１０上に設けられるボード状断熱材３０と、ボード状断熱材３０の底面３１及び隣接するボード状断熱材３０との間の目地部を除く小口面３２の中間部まで埋設させて固定する第１のセルフレベリング材４０と、ボード状断熱材３０及び第１のセルフレベリング材４０上に設けられ外壁部２０を断熱する外壁部断熱材５０と、第１のセルフレベリング材４０に埋設されて固定されたボード状断熱材３０の上面３３を覆って設けられる第２のセルフレベリング材６０と、を備える。【選択図】図１
2019167739.tif 000002
【特許請求の範囲】
【請求項１】
コンクリート造りの床スラブと、
前記床スラブに立設されるコンクリート造りの外壁部と、
前記床スラブ上に設けられるボード状断熱材と、
前記床スラブ上に設けられ前記ボード状断熱材の底面及び隣接する前記ボード状断熱材との間の目地部を除く小口面の中間部まで埋設させて固定する第１のセルフレベリング材と、
前記ボード状断熱材及び前記第１のセルフレベリング材上に設けられ前記外壁部を断熱する外壁部断熱材と、
前記第１のセルフレベリング材に埋設されて固定された前記ボード状断熱材の上面を覆って設けられる第２のセルフレベリング材と、を備える、
ことを特徴とする建築物の断熱構造。
【請求項２】
前記第２のセルフレベリング材は、前記外壁部側に設けた堰用断熱材で仕切られた前記ボード状断熱材上に設けられる、
ことを特徴とする請求項１に記載の建築物の断熱構造。
【請求項３】
前記第１のセルフレベリング材は、前記ボード状断熱材と前記外壁部との間には、介在させずに設けられ、
前記外壁部断熱材は、前記床スラブ上に設けられている、
ことを特徴とする請求項１に記載の建築物の断熱構造。
【請求項４】
前記外壁部断熱材は、ボード状断熱材または、現場発泡断熱材である、
ことを特徴とする請求項１乃至３のいずれかに記載の建築物の断熱構造。
【請求項５】
前記請求項１乃至４のいずれかに記載の建築物の断熱構造を施工するに際し、
前記第１のセルフレベリング材に埋設固定される前記ボード状断熱材は、前記第１のセルフレベリング材が流動性のある状態で敷き込んでボード面に平行に移動させながら小口面の中間部まで埋設するようにした、
ことを特徴とする建築物の断熱構造の施工方法。
【発明の詳細な説明】
【技術分野】
【０００１】
本発明は、建築物の断熱構造及びその施工方法に関し、さらに詳細には、外壁と連続する床スラブを断熱する断熱構造及びその施工方法に関する。
【背景技術】
【０００２】
コンクリート造りの住宅等の建築物においては、省エネルギー性能を確保するために外気と接する外壁部だけでなく、外壁部と連続する仕切り壁、スラブの天井面（下面）や床面(上面)に熱橋を防止する断熱補強が行なわれる。
例えば特許文献１に記載された断熱補強構造は、床スラブの上面において外壁部に断熱ボードを当接させた状態とし、床スラブの上面をセルフレベリング材で被覆し、ボード状断熱材を接着して所定位置に固定し、その上に再度セルフレベリング材を施工し養生し、硬化させてフローリング材の下地とする。ボード状断熱材の外周部と外壁部との間には、発泡ウレタン断熱材を吹き付けて断熱するようにしている。
【先行技術文献】
【特許文献】
【０００３】
【特許文献１】特開２００４−３６０２７８号公報
【発明の概要】
【発明が解決しようとする課題】
【０００４】
特許文献１に開示された断熱補強構造は、床スラブの上面にセルフレベリング材を流し込み、その上にボード状断熱材を敷き込み、セルフレベリング材の硬化によりボード状断熱材を固定するようにしたり、セルフレベリング材が硬化した後接着剤で固定するようにしているが、セルフレベリング材の上にボード状断熱材を敷き込んだだけでは、床スラブの不陸の影響やボード状断熱材の反りやねじれの影響で底面全体が密着する状態とならず、空気の巻き込みや浮上がりなどが生じる。これにより、ボード状断熱材に浮きやセルフレベリング材からの剥がれが生じ、それによりセルフレベリング材にクラックが発生したり、床の遮音性能の低下原因となるなどの問題がある。
【０００５】
本発明は、かかる問題点に鑑みてなされたものであり、ボード状断熱材を床スラブに密着させて取り付けることができ、セルフレベリング材のクラックの発生や床の遮音性能の低下を抑制することができる建築物の断熱構造及びその施工方法を提供することを目的とする。
【課題を解決するための手段】
【０００６】
上記課題を解決する本発明の第１の観点にかかる建築物の断熱構造は、
コンクリート造りの床スラブと、
前記床スラブに立設されるコンクリート造りの外壁部と、
前記床スラブ上に設けられるボード状断熱材と、
前記床スラブ上に設けられ前記ボード状断熱材の底面及び隣接する前記ボード状断熱材との間の目地部を除く小口面の中間部まで埋設させて固定する第１のセルフレベリング材と、
前記ボード状断熱材及び前記第１のセルフレベリング材上に設けられ前記外壁部を断熱する外壁部断熱材と、
前記第１のセルフレベリング材に埋設されて固定された前記ボード状断熱材の上面を覆って設けられる第２のセルフレベリング材と、を備える、
ことを特徴とする。
【０００７】
前記第２のセルフレベリング材は、前記外壁部側に設けた堰用断熱材で仕切られた前記ボード状断熱材上に設けられる、ことが好ましい。
【０００８】
前記第１のセルフレベリング材は、前記ボード状断熱材と前記外壁部との間には、介在させずに設けられ、前記外壁部断熱材は、前記床スラブ上に設けられている、ことが好ましい。
【０００９】
前記外壁部断熱材は、ボード状断熱材または、現場発泡断熱材である、ことが好ましい。
【００１０】
本発明の第２の観点に係る建築物の断熱構造の施工方法は、
建築物の断熱構造を施工するに際し、
前記第１のセルフレベリング材に埋設固定される前記ボード状断熱材は、前記第１のセルフレベリング材が流動性のある状態で敷き込んでボード面に平行に移動させながら小口面の中間部まで埋設するようにした、
ことを特徴とする。
【発明の効果】
【００１１】
本発明によれば、ボード状断熱材を床スラブに密着させて取り付けることができ、セルフレベリング材へのクラックの発生や床の遮音性能の低下を抑制することができる。
【図面の簡単な説明】
【００１２】
【図１】本発明の建築物の断熱構造及びその施工方法の一実施の形態の概略断面図及びボード状断熱材の施工工程の断面図である。
【図２】本発明の建築物の断熱構造及びその施工方法の他の一実施の形態の概略断面図及びボード状断熱材の施工工程の断面図である。
【図３】本発明の建築物の断熱構造及びその施工方法の一実施の形態の概略断面図及びボード状断熱材の施工工程の断面図である。
【図４】本発明の建築物の断熱構造の施工方法の一実施の形態のボード状断熱材の施工工程の説明図である。
【発明を実施するための形態】
【００１３】
以下、本発明の建築物の断熱構造及びその施工方法の一実施の形態について、図面を参照して詳細に説明する。
本発明の建築物の断熱構造１は、コンクリート造りの床スラブ１０と、床スラブ１０に立設されるコンクリート造りの外壁部２０と、床スラブ１０上に設けられるボード状断熱材３０と、床スラブ１０上に設けられボード状断熱材３０の底面３１及び隣接するボード状断熱材３０との間の目地部を除く小口面３２の中間部まで埋設させて固定する第１のセルフレベリング材４０と、ボード状断熱材３０及び第１のセルフレベリング材４０上に設けられ外壁部２０を断熱する外壁部断熱材５０と、第１のセルフレベリング材４０に埋設されて固定されたボード状断熱材３０の上面３３を覆って設けられる第２のセルフレベリング材６０と、を備えて構成される。なお、第２のセルフレベリング材６０上には、床仕上げ材７０が接着などで設けられる。
【００１４】
また、本発明の建築物の断熱構造の施工方法では、建築物の断熱構造１を施工するに際し、第１のセルフレベリング材４０に埋設固定されるボード状断熱材３０は、第１のセルフレベリング材４０が流動性のある状態で敷き込んでボード面（底面３１及び上面３３）３１，３３に平行に移動させながら小口面３２の中間部まで埋設するようにする。
これにより、ボード状断熱材３０の敷き込み時に、単に第１のセルフレベリング材４０の上に敷き並べるのではなく、ボード状断熱材３０を少し前後左右方向にボード面３１，３３と平行に動かしながら、第１のセルフレベリング材４０に押し付け１ｍｍからボード状断熱材３０厚さの２／３程度まで沈めるようにして、ボード状断熱材３０と第１のセルフレベリング材４０の間の空気を抜き、浮き上がりをなくして密着させるようにする。また、ボード状断熱材３０の小口面３２部分に第１のセルフレベリング材４０が廻り込むことでボード状断熱材３０の底面３１だけでなく、小口面３２も接着面としてしっかりと接着固定することで、剥がれにつながる衝撃力に対するボード状断熱材３０の密着力や固定力の向上を図るようにする。
【００１５】
本発明の対象となる床スラブ１０及び外壁部２０は、コンクリート造りの建築物に備わる外壁部２０と連続した床スラブ１０としては、鉄筋コンクリート造り（ＲＣ造）、鉄骨鉄筋コンクリート造り（ＳＲＣ造）、ガラスファイバー入りの鉄筋コンクリート造り（ＧＲＣ造）、プレキャストコンクリート造り（ＰＣ造、プレハブ））等のいずれであっても良い。
また、ここでの床スラブ１０は、外壁部２０に連続して上下を仕切る床版、途中階を仕切ると共に外壁部２０から水平に連続するコンクリート造りの床版を広く含むものである。
【００１６】
本実施の形態に係る建築物の断熱構造１は、図１に示すように、コンクリート造りの床スラブ１０に立設されたコンクリート造りの外壁部２０に対し、先に床スラブ１０にボード状断熱材３０を設置することで断熱補強を行い、その後に外壁部２０に対して断熱施工を行う。
床スラブ１０の断熱補強を行う範囲は、例えば外壁部２０の端部から４００〜６００ｍｍの範囲であり、この範囲を断熱することで、外壁部２０に対して床スラブ１０が熱橋とならないようにすることができる。
この建築物の断熱構造１は、床スラブ１０上に、第１のセルフレベリング材４０を流し込み、左官コテなどで平坦に均し、第１のセルフレベリング材４０上にボード状断熱材３０を敷き込む。
【００１７】
このボード状断熱材３０を敷き込む際には、第１のセルフレベリング材４０上に単に並べるだけでなく、ボード状断熱材３０のボード面３１，３３と平行に移動させるとともに、小口面３２の中間部まで埋設されるように押し込む（図１（ｂ）参照）。
こうすることで、ボード状断熱材３０の底面３１に空気を巻き込むことがなく、浮き上がりなどを防止してボード状断熱材３０を底面３１及び小口面３２で第１のセルフレベリング材４０に密着させて固定する。
【００１８】
このような第１のセルフレベリング材４０は、外壁部２０との間に１０ｍｍ以上の隙間Ｄ１を形成するとともに、外壁部２０と反対側においても１０ｍｍ以上の隙間Ｄ２をあけて第１のセルフレベリング材４０を形成できるように、図示省略したが枠材を配置したり、予め床スラブ１０に切り欠き部を形成しておくようにする。また、第１のセルフレベリング材４０は、床スラブ１０の不陸の大きさに対して平坦にできる厚さに形成され、例えば厚さを５ｍｍ以上とする。
このような隙間Ｄ１，Ｄ２を外壁部２０に対する垂直方向（例えば前後方向：図１（ｂ）の紙面上の左右方向）に形成しておき、隙間Ｄ１，Ｄ２を形成した範囲に第１のセルフレベリング材４０を流し込むことでボード状断熱材３０をボード面と平行に移動することを可能とする（図４参照）。
なお、ボード状断熱材３０を連続させる隣接させるボード状断熱材３０との間の目地部には、第１のセルフレベリング材４０を介在させないように外壁部２０と平行な方向（例えば前後方向に対する左右方向：図１（ｂ）の紙面に垂直な方向）には、ボード状断熱材３０同士を密着させる。こうすることで、ボード状断熱材３０同士の目地部に第１のセルフレベリング材４０が介在して熱橋が生じることを防止する。
また、ボード状断熱材３０同士の目地部や床スラブ１０との境界部分には、ファイバーテープなどを貼って目地部の補強や境界部分での後述する第２のセルフレベリング材６０のクラックの発生などを防止する。
【００１９】
ボード状断熱材３０は、従来から断熱ボードとして用いられているものを用いることができ、例えば硬質ウレタンフォームによる板状体の表裏両面に防湿層付の補強層を備えてボード状に成形した構造のものが用いられ、厚さが１０，１５，２０，２５，３０ｍｍ、幅が４５０，６００ｍｍ、長さが１８００，２７００ｍｍとした大きさに規格されたものが用いられる。なお、ボード状断熱材３０は、これらの規格されたものに限らず、必要な断熱性能や施工に適した大きさのものを適宜作成して用いるようにすれば良い。
【００２０】
第１のセルフレベリング材４０は、例えばセメント系の速硬・速乾タイプのものが用いられ、セルフレベリング材として市販されているものを用いることができる。また、第１のセルフレベリング材４０の施工前に、床スラブ１０上には、必要なプライマーを塗布する。プライマーは、第１のセルフレベリング材４０に対し、メーカー指定ものを用いることが好ましい。
【００２１】
こうしてボード状断熱材３０を床スラブ１０上に第１のセルフレベリング材４０を介して埋設状態で密着させた後、図１（ａ）に示すように、外壁部２０に対し外壁部断熱材５０の断熱施工が行われる。
外壁部断熱材５０は、例えば現場発泡により発泡ウレタンを吹き付けることで、断熱施工を行う。
外壁部断熱材５０は、床スラブ１０の上面に第１のセルフレベリング材４０を介してボード状断熱材３０が取り付けてあり、外壁部２０との間には、隙間Ｄ１が形成されてその部分に第１のセルフレベリング材４０が介在していることから、隙間Ｄ１の第１のセルフレベリング材４０を覆いかつボード状断熱材３０の端縁部と外壁部断熱材５０とが接触して断熱材同士３０，５０に隙間が生じないように吹き付けが行われる。
また、外壁部断熱材５０は、ボード状断熱材３０と同一仕様のボード状のものでも良く、例えば硬質ポリウレタンフォーム、ポリスチレンフォーム、ポリエチレンフォーム、フェノールフォーム、ゴム発泡体、塩化ビニル発泡体のボード、あるいは板状のグラスウールやロックウールなどが使用でき、またこれらに紙、ポリエチレンフィルム、ガラス不織布、石膏ボード、合板など単層、あるいはこれらを１種類以上積層した面材が予め設けてあるものが、床面の強度を向上できるので好ましい。
外壁部断熱材５０の施工に際し、床スラブ１０上のボード状断熱材３０上で作業者が作業したり、資材の運搬などが行われ踏まれることがあるが、ボード状断熱材３０が第１のセルフレベリング材４０上に密着状態で固定されているので、ボード状断熱材３０に浮きやセルフレベリング材からの剥がれが生じることがなく、支障なく作業や運搬などを行うことができる。
【００２２】
外壁部断熱材５０を施工後は、ボード状断熱材３０の上面に、必要に応じてプライマーが塗布された後、第２のセルフレベリング材６０を流し込み、外壁部断熱材５０に接触し、ボード状断熱材３０を覆うようにして平坦に均す。
この第２のセルフレベリング材６０は、第１のセルフレベリング材４０と同一仕様のものが用いられるほか、異なる仕様のものであっても良く、床仕上げ材７０の下地材とすることができるものであれば良い。
第２のセルフレベリング材６０は、例えば厚さを１０ｍｍ以上とし、左官コテ等を使用して平滑に均す。この第２のセルフレベリング材６０は、床仕上げ材７０の下地材となる。
【００２３】
この後、第２のセルフレベリング材６０の上には、床仕上げ材７０が取り付けられて床面の施工が行われ、外壁部断熱材５０の内側には、内装材８０及び幅木９０が取り付けられて内壁面の内装が行われる。これら床仕上げ材７０の施工や内壁面の内装材８０などの施工は、これまでの方法や構造と同様にして行われ、使用される床仕上げ材７０や内装材８０もこれまで使用されているものを広く使用することができる。
【００２４】
このような建築物の断熱構造１によれば、ボード状断熱材３０の敷き込み時に、単に第１のセルフレベリング材４０の上に敷き並べるのではなく、ボード状断熱材３０を少し前後左右方向にボード面３１，３３と平行に動かしながら、第１のセルフレベリング材４０に押し付け１ｍｍからボード状断熱材３０厚さの２／３程度まで沈めるようにして、ボード状断熱材３０と第１のセルフレベリング材４０の間の空気を抜き、浮き上がりをなくして密着させることができる。
これにより、ボード状断熱材３０の小口面３２部分に第１のセルフレベリング材４０が廻り込むことで、ボード状断熱材３０の底面３１だけでなく、小口面３２も接着面として確実に接着固定することができ、剥がれにつながる衝撃力に対するボード状断熱材３０の密着力や固定力を確保することができる。
また、第１のセルフレベリング材４０と外壁部２０との間に隙間Ｄ１を形成してもボード状断熱材３０と外壁部断熱材５０とを接触させて設置しているので、熱橋とならずに断熱性を確保することができる。
また、床スラブ１０にボード状断熱材３０を先に施工することで、ボード状断熱材３０が踏まれたり、資材の積載などで外力が加わることがあっても密着状態で取り付けられているので、ボード状断熱材３０に浮きやセルフレベリング材からの剥がれなどが発生することを防止でき、床仕上げ材７０の下地とすることができる。
【００２５】
次に、本発明の建築物の断熱構造１の他の実施の形態について、図２により説明する。なお、上記実施の形態と同一部分には、同一符号を記し、重複する説明は省略する。
本実施の形態の建築物の断熱構造１では、床スラブ１０に第１のセルフレベリング材４０を介してボード状断熱材３０を施工し、ボード状断熱材３０の上に第２のセルフレベリング材６０を施工した後、外壁部断熱材５０を施工する場合であり、第２のセルフレベリング材６０の施工順序が外壁部断熱材５０の施工後から施工前に変更したものである。
【００２６】
この建築物の断熱構造１では、ボード状断熱材３０の床スラブ１０への施工及び断熱構造は、既に説明したものと同一である。
こうしてボード状断熱材３０を床スラブ１０上に第１のセルフレベリング材４０を介して埋設状態で密着させた後、図２（ａ）に示すように、ボード状断熱材３０上に第２のセルフレベリング材６０の施工を行い床仕上げ材７０の下地とする。
第２のセルフレベリング材６０を施工するため、ボード状断熱材３０上に第２のセルフレベリング材６０を流し込むと、ボード状断熱材３０の外壁部２０側の端面を第２のセルフレベリング材６０が覆うこととなり、後に施工する外壁部断熱材５０とボード状断熱材３０と連続させることができなくなる。
そこで、ボード状断熱材３０の外壁部２０側の端縁部にボード状断熱材３０を細くした堰用断熱材３５を配置する。この堰用断熱材３５は、ボード状断熱材３０の一部となるものであり、ボード状断熱材３０と同一仕様で、規格されたボード状断熱材３０の幅を狭くカットしたものが用いられ、接着剤や両面テープなどで固定する。堰用断熱材３５は、幅は、第２のセルフレベリング材６０をせき止めることができる強度を確保できれば良く、少なくとも１０ｍｍ以上とされる。また、堰用断熱材３５の高さは、第２のセルフレベリング材６０の施工厚さに応じて設定するが、第２のセルフレベリング材６０を１０ｍｍ以上とすることに対応して１０ｍｍ以上とされ、規格品を用いる場合には、１０，１５，２０ｍｍのいずれかを使用すれば良い。
こうして堰用断熱材３５をボード状断熱材３０の外壁部２０側の端縁部に取り付けた後、第２のセルフレベリング材６０を流し込み、左官コテ等で平坦に均してボード状断熱材３０上に第２のセルフレベリング材６０による床仕上げ材７０の下地を形成する。この状態では、ボード状断熱材３０の外壁部２０側には、隙間Ｄ１が形成され、ボード状断熱材３０の中間部より上側の端面と堰用断熱材３５の端面とが露出した状態となっている。
【００２７】
こうして床スラブ１０上にボード状断熱材３０が第１のセルフレベリング材４０を介して固定され、さらにボード状断熱材３０の上に堰用断熱材３５でせき止められて第２のセルフレベリング材６０による床仕上げ材７０の下地を形成した後、外壁部２０に対し外壁部断熱材５０の断熱施工が行われる。
外壁部断熱材５０は、例えば現場発泡により発泡ウレタンを吹き付けることで、断熱施工が行われ、ボード状断熱材３０及び堰用断熱材３５と外壁部断熱材５０が連続するように施工される。この外壁部断熱材５０の構造及び施工は、既に説明した実施の形態と同一であり、重複する説明は、省略する。なお、この場合の外壁部断熱材５０についても現場発泡による断熱施工に限らず、ボード状断熱材を用いる構造及び施工方法であっても良い。
【００２８】
この後、第２のセルフレベリング材６０の上には、床仕上げ材７０が取り付けられて床面の施工が行われ、外壁部断熱材５０の内側には、内装材８０及び幅木９０が取り付けられて内壁面の内装が行われる。これら床仕上げ材７０の施工や内壁面の内装材８０などの施工は、これまでの方法や構造と同様にして行われ、使用される床仕上げ材７０や内装材８０もこれまで使用されているものを広く使用することができる。
【００２９】
このような建築物の断熱構造１によれば、ボード状断熱材３０の敷き込み時に、単に第１のセルフレベリング材４０の上に敷き並べるのではなく、ボード状断熱材３０を少し前後左右方向にボード面３１，３３と平行に動かしながら、第１のセルフレベリング材４０に押し付け１ｍｍからボード状断熱材３０厚さの２／３程度まで沈めるようにして、ボード状断熱材３０と第１のセルフレベリング材４０の間の空気を抜き、浮き上がりをなくして密着させることができる。
これにより、ボード状断熱材３０の小口面３２部分に第１のセルフレベリング材４０が廻り込むことで、ボード状断熱材３０の底面３１だけでなく、小口面３２も接着面として確実に接着固定することができ、剥がれにつながる衝撃力に対するボード状断熱材３０の密着力や固定力を確保することができる。
また、第１のセルフレベリング材４０及び堰用断熱材３５と外壁部２０との間に隙間Ｄ１を形成してもボード状断熱材３０及び堰用断熱材３５と外壁部断熱材５０とを接触させて設置しているので、熱橋とならずに断熱性を確保することができる。
また、床スラブ１０にボード状断熱材３０を先に施工し、ボード状断熱材３０上に第２のセルフレベリング材６０を施工することで、ボード状断熱材３０が直接踏まれたり、資材の積載などで外力が加わることがなく、第２のセルフレベリング材６０によってボード状断熱材３０を踏まれたり、直接外力が加わることを回避でき、ボード状断熱材３０に浮きやセルフレベリング材からの剥がれなどが発生することを防止でき、床仕上げ材７０の下地とすることができる。
【００３０】
次に、本発明の建築物の断熱構造１の他の実施の形態について、図３により説明する。なお、上記実施の形態と同一部分には、同一符号を記し、重複する説明は省略する。
本実施の形態の建築物の断熱構造１では、これまでの実施の形態と異なり、まず外壁部２０に外壁部断熱材５０の施工を行った後、床スラブ１０の断熱施工を行う場合である。
【００３１】
まず、外壁部断熱材５０を施工する。外壁部断熱材５０は、既に説明したように、現場発泡による発泡ウレタンを吹き付けることで行われたり、ボード状断熱材３０を取り付けることで行われる。外壁部断熱材５０は、床スラブ１０上に下端部を接触させ、外壁部２０の壁面の内側に沿って施工する。
【００３２】
外壁部２０への外壁部断熱材５０の施工が完了した後、床スラブ１０に対する断熱施工が行われる。
床スラブ１０への断熱施工では、外壁部２０に外壁部断熱材５０が施工されているので、外壁部断熱材５０にボード状断熱材３０を接触させるようにする。
すなわち、床スラブ１０上の第１のセルフレベリング材４０は、ボード状断熱材３０と外壁部２０との間には、介在されずに設けられ（外壁部２０とボード状断熱材３０の間には第１のセルフレベリング材４０が介在された隙間Ｄ１は形成されず）、その第１のセルフレベリング材４０上に配置されたボード状断熱材３０は、外壁部２０に沿って隣接させるボード状断熱材３０との間の目地部、並びに外壁部断熱材５０と接触するボード状断熱材３０の部位を除く端面の中間部まで埋設するようにして第１のセルフレベリング材４０に固定する。
こうすることで、床スラブ１０に第１のセルフレベリング材４０を介してボード状断熱材３０を外壁部断熱材５０に連続させて施工することができ、ボード状断熱材３０の小口面３２部分に第１のセルフレベリング材４０が廻り込むことで、ボード状断熱材３０の底面３１だけでなく、小口面３２も接着面として確実に接着固定することができ、剥がれにつながる衝撃力に対するボード状断熱材３０の密着力や固定力を確保することができる。
【００３３】
こうしてボード状断熱材３０を第１のセルフレベリング材４０を介して床スラブ１０に固定した後、ボード状断熱材３０の上に第２のセルフレベリング材６０を施工するが、第２のセルフレベリング材６０の構造や施工は、既に説明したものと同一である。
さらに、第２のセルフレベリング材６０の施工後、第２のセルフレベリング材６０の上には、床仕上げ材７０が取り付けられて床面の施工が行われ、外壁部断熱材５０の内側には、内装材８０及び幅木９０が取り付けられて内壁面の内装が行われる。これら床仕上げ材７０の施工や内壁面の内装材８０などの施工は、これまでの方法や構造と同様にして行われ、使用される床仕上げ材７０や内装材８０もこれまで使用されているものを広く使用することができる。
【００３４】
このような建築物の断熱構造１によれば、ボード状断熱材３０の敷き込み時に、単に第１のセルフレベリング材４０の上に敷き並べるのではなく、ボード状断熱材３０を少し前後左右方向にボード面３１，３３と平行に動かしながら、第１のセルフレベリング材４０に押し付け１ｍｍからボード状断熱材３０厚さの２／３程度まで沈めるようにして、ボード状断熱材３０と第１のセルフレベリング材４０の間の空気を抜き、浮き上がりをなくして密着させることができる。
これにより、ボード状断熱材３０の外壁部２０側や目地部を除く小口面３２部分に第１のセルフレベリング材４０が廻り込むことで、ボード状断熱材３０の底面３１だけでなく、小口面３２も接着面として確実に接着固定することができ、剥がれにつながる衝撃力に対するボード状断熱材３０の密着力や固定力を確保することができる。
また、第１のセルフレベリング材４０と外壁部２０の外壁部断熱材５０との間に隙間がなくボード状断熱材３０と外壁部断熱材５０とが接触して設置されているので、熱橋とならずに断熱性を確保することができる。
また、外壁部２０の内壁面に外壁部断熱材５０を先に施工し、その後にボード状断熱材３０を床スラブ１０上に第１のセルフレベリング材４０を介して施工することで、ボード状断熱材３０が外壁部断熱材５０の施工の際に直接踏まれたり、資材の積載などで外力が加わることがなく、ボード状断熱材３０に浮きやセルフレベリング材からの剥がれなどが発生することを防止でき、床仕上げ材７０の下地とすることができる。
【００３５】
以上の各実施の形態の建築物の断熱構造１とともに、具体的に説明したように、建築物の断熱構造１の施工方法によれば、図４に示すように、建築物の断熱構造１を施工するに際し、第１のセルフレベリング材４０に埋設固定されるボード状断熱材３０は、第１のセルフレベリング材４０が流動性のある状態で敷き込んでボード面３１，３３に平行に移動させながら小口面３２の中間部まで埋設するようにしている。
これにより、ボード状断熱材３０の敷き込み時に、単に第１のセルフレベリング材４０の上に敷き並べるのではなく、ボード状断熱材３０を少し前後左右方向にボード面３１，３３と平行に動かしながら、第１のセルフレベリング材４０に押し付け１ｍｍからボード状断熱材３０厚さの２／３程度まで沈めるようにして、ボード状断熱材３０と第１のセルフレベリング材４０の間の空気を抜き、浮き上がりをなくして密着させることができる。また、ボード状断熱材３０の小口面３２部分に第１のセルフレベリング材４０が廻り込むことでボード状断熱材３０の底面３１だけでなく、小口面３２も接着面として確実に接着固定することで、剥がれにつながる衝撃力に対するボード状断熱材３０の密着力や固定力を確保することができる。
【００３６】
以上、実施の形態とともに、具体的に説明したように、本発明の建築物の断熱構造１によれば、コンクリート造りの床スラブ１０と、床スラブ１０に立設されるコンクリート造りの外壁部２０と、床スラブ１０上に設けられるボード状断熱材３０と、床スラブ１０上に設けられボード状断熱材３０の底面３１及び隣接するボード状断熱材３０との間の目地部を除く小口面３２の中間部まで埋設させて固定する第１のセルフレベリング材４０と、ボード状断熱材３０及び第１のセルフレベリング材４０上に設けられ外壁部２０を断熱する外壁部断熱材５０と、第１のセルフレベリング材４０に埋設されて固定されたボード状断熱材３０の上面３３を覆って設けられる第２のセルフレベリング材６０と、を備えて構成されている。
かかる構成によれば、ボード状断熱材３０の敷き込み時に、単に第１のセルフレベリング材４０の上に敷き並べるのではなく、ボード状断熱材３０を少し前後左右方向にボード面３１，３３と平行に動かしながら、第１のセルフレベリング材４０に押し付けボード状断熱材３０厚さの中間部まで沈めるようにすることで、ボード状断熱材３０と第１のセルフレベリング材４０の間の空気を抜き、浮き上がりをなくして密着させることができる。
これにより、ボード状断熱材３０の小口面３２部分に第１のセルフレベリング材４０が廻り込むことで、ボード状断熱材３０の底面３１だけでなく、小口面３２も接着面として確実に接着固定することができ、剥がれにつながる衝撃力に対するボード状断熱材３０の密着力や固定力を確保することができる。
また、第１のセルフレベリング材４０と外壁部２０との間に隙間Ｄ１を形成してもボード状断熱材３０と外壁部断熱材５０とを接触させて設置しているので、熱橋とならずに断熱性を確保することができる。
また、床スラブ１０にボード状断熱材３０を先に施工することで、ボード状断熱材３０が踏まれたり、資材の積載などで外力が加わることがあっても密着状態で取り付けられているので、ボード状断熱材３０に浮きやセルフレベリング材からの剥がれなどが発生することを防止でき、床仕上げ材７０の下地とすることができる。
【００３７】
本発明の建築物の断熱構造１によれば、第２のセルフレベリング材６０は、外壁部２０側に設けた堰用断熱材３５で仕切られたボード状断熱材３０上に設けられることで、ボード状断熱材３０の上面に第２のセルフレベリング材６０を施工しても、外壁部断熱材５０との間に熱橋が形成されることを防止して外壁部断熱材５０とボード状断熱材３０及び堰用断熱材３５と連続させることができる。
これにより、外壁部断熱材５０の施工順序やボード状断熱材３０の施工順序を任意に選択して施工することが可能となる。
【００３８】
本発明の建築物の断熱構造１によれば、第１のセルフレベリング材４０は、ボード状断熱材３０と外壁部２０との間には、介在させずに設けられ、外壁部断熱材５０は、床スラブ１０上に設けられているので、外壁部２０に先に外壁部断熱材５０を施工した場合でもボード状断熱材３０と連続して設置することができ、熱橋が形成されることを防止することができる。また、ボード状断熱材３０は、第１のセルフレベリング材４０上に密着して固定することができ、衝撃力に対するボード状断熱材３０の密着力や固定力を確保することができる。
【００３９】
本発明の建築物の断熱構造１によれば、外壁部断熱材５０は、ボード状断熱材３０または、現場発泡断熱材であっても良く、いずれでも外壁部２０の断熱性を確保することができ、施工の自由度も増大する。
【００４０】
本発明の建築物の断熱構造の施工方法によれば、建築物の断熱構造１を施工するに際し、第１のセルフレベリング材４０に埋設固定されるボード状断熱材３０は、第１のセルフレベリング材４０が流動性のある状態で敷き込んでボード面３１，３３に平行に移動させながら小口面３２の中間部まで埋設する。
これにより、ボード状断熱材３０の敷き込み時に、単に第１のセルフレベリング材４０の上に敷き並べるのではなく、ボード状断熱材３０を少し前後左右方向にボード面３１，３３と平行に動かしながら、第１のセルフレベリング材４０に押し付けボード状断熱材３０厚さの中間部まで沈めることで、ボード状断熱材３０と第１のセルフレベリング材４０の間の空気を抜き、浮き上がりをなくして密着させることができる。また、ボード状断熱材３０の小口面３２部分に第１のセルフレベリング材４０が廻り込むことでボード状断熱材３０の底面３１だけでなく、小口面３２も接着面として確実に接着固定することができ、剥がれにつながる衝撃力に対するボード状断熱材３０の密着力や固定力を確保することができる。
【００４１】
なお、本発明は、上記実施の形態に何ら限定するものでない。
【符号の説明】
【００４２】
１          建築物の断熱構造
１０        床スラブ
２０        外壁部
３０        ボード状断熱材
３１        底面（ボード面）
３２        小口面
３３        上面（ボード面）
３５        堰用断熱材
４０        第１のセルフレベリング材
５０        外壁部断熱材
６０        第２のセルフレベリング材
７０        床仕上げ材
８０        内装材
９０        幅木
Ｄ１        隙間
Ｄ２        隙間
【図１】
2019167739.tif 000003
【図２】
2019167739.tif 000004
【図３】
2019167739.tif 000005
【図４】
2019167739.tif 000006